(57)【要約】【課題】夏季に上着を着ないクールビズのスタイルで仕事を行う場合であっても、財布、携帯電話、名刺入れ、定期入れ等といった小物類を出し入れし易い状態で携帯し得るようにする。【解決手段】シャツ生地を使用して少なくとも背中を覆う一部（後身頃４と後脇身頃５）を裏地も芯地もない一枚仕立てで縫製し且つ小物類を収納するための複数のポケット（各パッチポケット１０，１１，１２やインナー玉縁ポケット１３、各箱ポケット）を備えてベスト６を構成する。シャツ生地であることから着心地が軽く、しかも、従来における既存のベストでは裏地があることで熱が籠り易かった背中部分から熱を逃がすことができて涼しいため、夏季でも特に不快感を感じることなく着用することが可能であり、このベスト６の各ポケットに小物類を出し入れし易い状態で携帯することが可能となる。【選択図】図２
0003155364.tif 000002
【実用新案登録請求の範囲】
【請求項１】
シャツ生地を使用して少なくとも背中を覆う一部を裏地も芯地もない一枚仕立てで縫製し且つ小物類を収納するための複数のポケットを備えたことを特徴とするベスト。
【請求項２】
少なくとも一部のポケットの入口に、該入口を塞いで収納物の飛び出しを防ぐ入口閉塞手段を備えたことを特徴とする請求項１に記載のベスト。
【考案の詳細な説明】
【技術分野】
【０００１】
本考案は、夏季に上着を着ないクールビズのスタイルで仕事を行う場合に着用して小物類を携帯するためのベストに関するものである。
【背景技術】
【０００２】
地球温暖化防止の取り組みのひとつとしてクールビズ（COOL BIZ）が２００５年にスタートし、夏季にネクタイと上着を着ないでシャツだけで仕事を行うことが定着してきており、このように軽装で仕事を行うことで夏の間のオフィスの冷房温度の設定を２８℃程度として空調設備のエネルギー使用量を減らし、結果的に二酸化炭素の排出を抑えることが提唱されている。
【考案の概要】
【考案が解決しようとする課題】
【０００３】
しかしながら、ビジネスマンの上着のポケットには、財布、携帯電話、名刺入れ、定期入れ等といった小物類が直ぐに取り出せるように収納されているのが一般的であり、上着を着ない場合に、これらの小物類の全てをシャツの胸ポケットとズボンのポケット（脇ポケット及び後ポケット）に移し変えるのは困難である。
【０００４】
このため、シャツの胸ポケットとズボンのポケットに収納しきれない小物類は、カバンを利用して持ち運ばざるを得なくなるが、財布、携帯電話、名刺入れ、定期入れ等を使用するたびにカバンから出し入れしなければならないのは非常に煩雑なことであり、できるだけ出し入れし易い状態で携帯したいという要望があった。
【０００５】
本考案は上述の実情に鑑みてなしたもので、夏季に上着を着ないクールビズのスタイルで仕事を行う場合であっても、財布、携帯電話、名刺入れ、定期入れ等といった小物類を出し入れし易い状態で携帯し得るようにすることを目的とする。
【課題を解決するための手段】
【０００６】
本考案は、シャツ生地を使用して少なくとも背中を覆う一部を裏地も芯地もない一枚仕立てで縫製し且つ小物類を収納するための複数のポケットを備えたことを特徴とするベスト、に係るものである。
【０００７】
而して、このようなベストを着用すれば、シャツ生地であることから着心地が軽く、しかも、従来における既存のベストでは裏地があることで熱が籠り易かった背中部分から熱を逃がすことができて涼しいため、夏季に上着を着ないクールビズのスタイルで仕事を行う場合であっても、特に不快感を感じることなく着用することが可能であり、このベストの各ポケットに財布、携帯電話、名刺入れ、定期入れ等といった小物類を出し入れし易い状態で携帯することが可能となる。
【０００８】
更に、本考案においては、少なくとも一部のポケットの入口に、該入口を塞いで収納物の飛び出しを防ぐ入口閉塞手段を備えることが好ましく、このようにすれば、前かがみの姿勢になった時や、ベストを脱いだ時等に、少なくとも一部のポケットから収納物が飛び出すことが防止される。
【考案の効果】
【０００９】
上記した本考案のベストによれば、下記の如き種々の優れた効果を奏し得る。
【００１０】
（Ｉ）本考案の請求項１に記載の考案によれば、夏季に上着を着ないクールビズのスタイルで仕事を行う場合であっても、軽くて涼しい着心地のベストを不快感を感じることなく着用して該ベストの各ポケットに財布、携帯電話、名刺入れ、定期入れ等といった小物類を出し入れし易い状態で携帯することができ、カバン等に小物類を入れて簡単に出し入れできない状態で持ち運ばなければならないといった煩雑さを不要とすることができる。
【００１１】
（ＩＩ）本考案の請求項２に記載の考案によれば、少なくとも一部のポケットの入口に備えた入口閉塞手段でポケットの入口を塞いでおくことにより、前かがみの姿勢になった時や、ベストを脱いだ時等に、収納物がポケットから飛び出すことを防止することができるので、小物類を落として破損したり、紛失したりする虞れを未然に回避することができる。
【図面の簡単な説明】
【００１２】
【図１】本考案を実施する形態の一例を示す正面図である。
【図２】図１のベストを平面的に展開した状態を示す図である。
【考案を実施するための形態】
【００１３】
以下本考案の実施の形態を図面を参照しつつ説明する。
【００１４】
図１及び図２は本考案を実施する形態の一例を示すもので、図中１は上前身頃、２は下前身頃、３は後身返し、４は後身頃、５は後脇身頃、６はこれらの各パーツから成るベストを示し、図１は上前身頃１と下前身頃２とをボタン７で閉じた状態を示したもので、図２は上前身頃１及び下前身頃２の各上端と後身返し３との縫着を解いて平面的に展開した状態を示したものとなっている。
【００１５】
ここで、前記ベスト６にはシャツ生地が使用され、背中を覆うことになる後身頃４と後脇身頃５とが裏地も芯地もない一枚仕立てで縫製されるようになっており、これら以外の上前身頃１、下前身頃２、後身返し３については二枚仕立てとしてある。
【００１６】
また、前記上前身頃１と下前身頃２の表側における下方位置には、箱ポケット８，９（図１参照）が備えられており、前記上前身頃１と下前身頃２の裏側における上方位置と下方位置には、計三つのパッチポケット１０，１１，１２と一つのインナー玉縁ポケット１３とが備えられている。
【００１７】
例えば、ここに図示している例では、前記三つのパッチポケット１０，１１，１２を、携帯電話、名刺入れ、定期入れといった小物類の一般的なサイズや形に合わせたものとし、前記インナー玉縁ポケット１３を、一般的な長財布を収納できる幅と深さを有するものとしている。
【００１８】
更に、パッチポケット１１の入口は、ボタン１１ａ（入口閉塞手段）を留めることで適宜に塞ぎ得るようになっており、また、インナー玉縁ポケット１３の入口は、フラップ１３ａ（入口閉塞手段）をボタン１３ｂ（入口閉塞手段）に留めることで適宜に塞ぎ得るようになっている。
【００１９】
而して、このようなベスト６を着用すれば、シャツ生地であることから着心地が軽く、しかも、従来における既存のベストでは裏地があることで熱が籠り易かった背中部分から熱を逃がすことができて涼しいため、夏季に上着を着ないクールビズのスタイルで仕事を行う場合であっても、特に不快感を感じることなく着用することが可能であり、このベスト６に備えられている各パッチポケット１０，１１，１２やインナー玉縁ポケット１３、各箱ポケット８，９に財布、携帯電話、名刺入れ、定期入れ等といった小物類を出し入れし易い状態で携帯することが可能となる。
【００２０】
この際、パッチポケット１１やインナー玉縁ポケット１３に収納させた小物類については、ボタン１１ａを留めたり、フラップ１３ａをボタン１３ｂに留めたりすることにより入口を塞いでおくと良く、このようにすれば、前かがみの姿勢になった時や、ベスト６を脱いだ時等に、パッチポケット１１やインナー玉縁ポケット１３から収納物が飛び出すことが防止される。
【００２１】
従って、上記形態例によれば、夏季に上着を着ないクールビズのスタイルで仕事を行う場合であっても、軽くて涼しい着心地のベスト６を不快感を感じることなく着用して該ベスト６の各パッチポケット１０，１１，１２やインナー玉縁ポケット１３、各箱ポケット８，９に財布、携帯電話、名刺入れ、定期入れ等といった小物類を出し入れし易い状態で携帯することができ、カバン等に小物類を入れて簡単に出し入れできない状態で持ち運ばなければならないといった煩雑さを不要とすることができる。
【００２２】
また、パッチポケット１１やインナー玉縁ポケット１３の入口に備えたボタン１１ａやフラップ１３ａ及びボタン１３ｂで入口を塞いでおくことにより、前かがみの姿勢になった時や、ベスト６を脱いだ時等に、収納物が飛び出すことを防止することができるので、小物類を落として破損したり、紛失したりする虞れを未然に回避することができる。
【００２３】
尚、本考案のベストは、上述の形態例にのみ限定されるものではなく、入口閉塞手段は図示例以外のものであっても良く、例えば、面ファスナーやスライドファスナーであっても良いこと、その他、本考案の要旨を逸脱しない範囲内において種々変更を加え得ることは勿論である。
【符号の説明】
【００２４】
４  後身頃（背中を覆う一部）
５  後脇身頃（背中を覆う一部）
６  ベスト
８  箱ポケット（ポケット）
９  箱ポケット（ポケット）
１０  パッチポケット（ポケット）
１１  パッチポケット（ポケット）
１１ａ  ボタン（入口閉塞手段）
１２  パッチポケット（ポケット）
１３  インナー玉縁ポケット（ポケット）
１３ａ  フラップ（入口閉塞手段）
１３ｂ  ボタン（入口閉塞手段）
【図１】
0003155364.tif 000003
【図２】
0003155364.tif 000004